(57)【要約】【課題】放送受信装置で電子番組表を表示する際、読みにくい漢字が使用されている場合がある。そこで、表示装置の画面に文字を表示する際、読みにくい漢字が使用されている場合には、これらの文字を読み易い文字に変換して表示することが望まれていた。【解決手段】表示する文字データを記憶する文字データ記憶手段18と、特定の漢字に対応付けて変換する仮名候補を記憶した漢字かな変換テーブル19と、設定された漢字かな変換の条件を記憶する漢字かな変換設定情報手段20と、文字データ記憶手段18に記憶された文字データと、漢字かな変換テーブル19に記憶された仮名候補と、漢字かな変換設定情報手段20に記憶された漢字かな変換の条件に基づいて漢字かな変換処理を実行する漢字かな変換手段17と、漢字かな変換手段17で変換処理された文字を画面9に表示する表示手段7,8とを備えた。【選択図】図１
2009118125.tif 000002
【特許請求の範囲】
【請求項１】
少なくとも漢字と仮名を表示する表示装置において、
表示すべき前記漢字が読みにくい漢字として登録された漢字に一致するかを判断する文字コード判断手段と、
前記文字コード判断手段で、読みにくい漢字として登録された漢字に表示すべき漢字が一致すると判断されたとき当該漢字に対応する仮名に変換する漢字かな変換手段と、
を備えたことを特徴とする表示装置。
【請求項２】
前記読みにくい漢字は、画数が所定値以上のものとして登録したものであることを特徴とする請求項１に記載の表示装置。
【請求項３】
前記読みにくい漢字は、読みにくいとして予め定めて登録した漢字であることを特徴とする請求項１に記載の表示装置。
【請求項４】
予め決めた範囲に属する漢字の漢字かな変換を禁止する漢字かな変換禁止手段を設け、
前記漢字かな変換手段は、
前記文字コード判断手段で、読みにくい漢字として登録された漢字に表示すべき漢字が一致したと判断されたとき、前記表示すべき漢字が前記漢字かな変換禁止手段で変換を禁止する前記予め決めた範囲に属する漢字のときは漢字かな変換を行わないことを特徴とする請求項１乃至請求項３のいずれか一項に記載の表示装置。
【請求項５】
漢字かな変換を禁止する予め決めた前記範囲は、番組の特定ジャンル、緊急放送に表示される表示文字の範囲、緊急放送に表示される漢字、人名として表示される漢字、直後に振りがなが付された漢字に属する少なくとも１つの範囲であることを特徴とする請求項４に記載の表示装置。
【請求項６】
漢字を仮名に変換するための情報を設定する漢字かな変換設定メニューを表示する手段を備えたことを特徴とする請求項１乃至請求項５のいずれか一項に記載の表示装置。
【請求項７】
前記漢字かな変換設定メニューは、
画数が多いとき漢字かな変換をするかしないか設定する設定メニュー、読みにくいとして予め定めて登録してある漢字を漢字かな変換をするかしないか設定する設定メニュー、漢字かな変換を行わない範囲を指定する設定メニューの少なくとも１つを表示することを特徴とする請求項６に記載の表示装置。
【請求項８】
画数が多いとき漢字かな変換をするかしないか設定する前記設定メニューに、漢字の画数を指定する欄が表示されることを特徴とする請求項７に記載の表示装置。
【請求項９】
読みにくいとして予め定めて登録してある漢字を漢字かな変換をするかしないか設定する前記設定メニューは、
読みにくいとして予め定めて設定する漢字を、特定の分類を指定して設定するように構成されたことを特徴とする請求項７に記載の表示装置。
【請求項１０】
少なくとも文字を表示することのできる表示装置において、
表示する文字データを記憶する文字データ記憶手段と、
特定の漢字に対応付けて変換する仮名候補を記憶した漢字かな変換テーブルと、
設定された漢字かな変換の条件を記憶する漢字かな変換設定情報手段と、
前記文字データ記憶手段に記憶された文字データと、前記漢字かな変換テーブルに記憶された前記仮名候補と、前記漢字かな変換設定情報手段に記憶された前記漢字かな変換の条件に基づいて漢字かな変換処理を実行する漢字かな変換手段と、
前記漢字かな変換手段で変換処理された文字を画面に表示する表示手段と、
を備えたことを特徴とする表示装置。
【請求項１１】
前記文字データ記憶手段は電子番組表に表示される番組情報が記憶される番組情報データベースであり、前記漢字かな変換手段は電子番組表に表示される前記番組情報データベースに記憶された漢字を、前記漢字かな変換テーブルに記憶された前記仮名候補と、前記漢字かな変換設定情報手段に記憶された前記漢字かな変換の条件に基づいて仮名に変換することを特徴とする請求項１０に記載された表示装置。
【請求項１２】
前記番組情報データベースに記憶された番組情報は放送局から送信される番組情報を記憶したものであることを特徴とする請求項１０又は請求項１１のいずれか一項に記載された表示装置。
【請求項１３】
前記番組情報データベースに記憶された番組情報は外部記憶装置から読み込んだ番組情報を記憶したものであることを特徴とする請求項１０又は請求項１１のいずれか一項に記載された表示装置。
【請求項１４】
デジタル放送を受信し番組の映像と音声を再生する放送受信装置において、
請求項１乃至請求項１３のいずれか一項に記載された表示装置を備えたことを特徴とする放送受信装置。
【請求項１５】
表示装置に表示される文字を漢字から仮名に変換する表示文字変換方法において、
表示すべき前記漢字が読みにくい漢字として登録された漢字に一致するかを判断し、
読みにくい漢字として登録された漢字に表示すべき漢字が一致すると判断されたとき当該漢字に対応する仮名に変換することを特徴とする表示文字変換方法。
【請求項１６】
前記読みにくい漢字は、画数が所定値以上のものとして登録したものであることを特徴とする請求項１５に記載の表示文字変換方法。
【請求項１７】
前記読みにくい漢字は、読みにくいとして予め定めて登録した漢字であることを特徴とする請求項１５に記載の表示文字変換方法。
【請求項１８】
漢字かな変換を禁止する予め決めた範囲を設定し、
読みにくい漢字として登録された漢字に表示すべき漢字が一致したと判断されたき、読みにくい漢字として判断された当該漢字が前記予め決めた範囲に属する漢字のときは漢字かな変換を行わないことを特徴とする請求項１５乃至請求項１７のいずれか一項に記載の表示文字変換方法。
【請求項１９】
漢字かな変換を禁止する予め決めた前記範囲は、番組の特定ジャンル、緊急放送に表示される表示文字の範囲、緊急放送に表示される漢字、人名として表示される漢字、直後に振りがなが付された漢字に属する少なくとも１つの範囲であることを特徴とする請求項１８に記載の表示文字変換方法。
【請求項２０】
漢字を仮名に変換するための情報を設定する漢字かな変換設定メニューを表示することを特徴とする請求項１５乃至請求項１９のいずれか一項に記載の表示文字変換方法。
【請求項２１】
前記漢字かな変換設定メニューは、
画数が多いとき漢字かな変換をするかしないか設定する設定メニュー、読みにくいとして予め定めて登録してある漢字を漢字かな変換をするかしないか設定する設定メニュー、漢字かな変換を行わない範囲を指定する設定メニューの少なくとも１つを表示することを特徴とする請求項２０に記載の表示文字変換方法。
【請求項２２】
画数が多いとき漢字かな変換をするかしないか設定する前記設定メニューに、漢字の画数を指定する欄が表示されることを特徴とする請求項２１に記載の表示文字変換方法。
【請求項２３】
読みにくいとして予め定めて登録してある漢字を漢字かな変換をするかしないか設定する前記設定メニューにおいて、
読みにくいとして予め定めて設定する漢字を、特定の分類を指定して設定することを特徴とする請求項２１に記載の表示文字変換方法。
【発明の詳細な説明】
【技術分野】
【０００１】
本発明は、表示装置、放送受信装置、及び表示文字変換方法に係り、特に表示文字を読みやすくなるように文字変換して表示することができる表示装置、放送受信装置、及び表示文字変換方法に関する。
【背景技術】
【０００２】
テレビ放送が、アナログ放送からデジタル放送に移行し、デジタル化により多チャンネル化が進んでいる。このように番組が多くなると、見たい番組を探すのが容易では無くなり、また提供される番組情報も膨大になり従来の新聞などの番組表では十分な対応ができない状況になっている。また、リモコン装置を操作してチャンネルを切り替えながら所望の番組を探し出す、所謂ザッピングだけでは、チャンネル数が多くて思うようにチャンネル切替ができない。
【０００３】
このような問題を解決する手段として電子番組表ＥＰＧ（Electronic Program Guide：電子番組ガイド）が提供されている。この電子番組表は現在の新聞のテレビ欄に見られるような番組表を電子的にテレビ画面で閲覧できるようにしたもので、放送局からテレビ受信装置に番組配列情報（ＳＩ:Service Information）など（以下ＥＰＧ情報という）で送られてくる情報を基に作成される。電子番組表を見たいとき、視聴者はリモコン装置などを操作して画面に表示させ、閲覧することができるようになっている。
【０００４】
ところで、電子番組表ＥＰＧを実際にテレビ画面に表示させて見ると、番組数が多い上に番組情報が細かに表示され、読みにくいという問題があった。この問題を解決するものとして、特許文献１に挙げた特開２００６−２４６４２７号公報に開示された従来技術がある。この従来技術は、電子番組表の文字サイズを調整することが可能となっており、読みやすさを重視するときは文字サイズ大、情報量を重視するときは文字サイズ小を選択して表示することができる。
【特許文献１】特開２００６−２４６４２７号公報
【発明の開示】
【発明が解決しようとする課題】
【０００５】
上記特許文献１の従来技術によれば、電子番組表が読みにくい場合、文字サイズ大を選択することにより文字が読みやすくなるが、電子番組表が読みにくい原因はこれだけではない。読みにくい原因は、文字の画数が多かったり、常用漢字で使用されていないような難しい漢字が使用されている場合があるからである。放送受信装置の表示装置に表示される電子番組表ＥＰＧの文字に限らず、その他放送局から送られてくる文字データを基に画面に文字を表示する際、文字の画数が多かったり、常用漢字で使用されていないような難しい漢字が使用されている場合には、これらの文字を読みやすく表示することが望まれていた。
【０００６】
そこで、本発明の目的は、上記問題点に鑑み、表示装置の画面に文字を表示する際、読みにくい漢字が使用されている場合には、これらの文字を読みやすい文字に変換して表示することができる表示装置、放送受信装置、及び表示文字変換方法を提供することにある。
【課題を解決するための手段】
【０００７】
本発明の表示装置は、少なくとも漢字と仮名を表示する表示装置において、表示すべき前記漢字が読みにくい漢字として登録された漢字に一致するかを判断する文字コード判断手段と、前記文字コード判断手段で、読みにくい漢字として登録された漢字に表示すべき漢字が一致すると判断されたとき当該漢字に対応する仮名に変換する漢字かな変換手段と、を備えたことを特徴とする。
また、本発明の表示装置は、前記読みにくい漢字が、画数が所定値以上のものとして登録したものであることを特徴とする。
また、本発明の表示装置は、前記読みにくい漢字が、読みにくいとして予め定めて登録した漢字であることを特徴とする。
また、本発明の表示装置は、予め決めた範囲に属する漢字の漢字かな変換を禁止する漢字かな変換禁止手段を設け、前記漢字かな変換手段が、前記文字コード判断手段で、読みにくい漢字として登録された漢字に表示すべき漢字が一致したと判断されたき、前記表示すべき漢字が前記漢字かな変換禁止手段で変換を禁止する前記予め決めた範囲に属する漢字のときは漢字かな変換を行わないことを特徴とする。
また、本発明の表示装置は、漢字かな変換を禁止する予め決めた前記範囲は、番組の特定ジャンル、緊急放送に表示される表示文字の範囲、緊急放送に表示される漢字、人名として表示される漢字、直後に振りがなが付された漢字に属する少なくとも１つの範囲であることを特徴とする。
また、本発明の表示装置は、漢字を仮名に変換するための情報を設定する漢字かな変換設定メニューを表示する手段を備えたことを特徴とする。
また、本発明の表示装置は、前記漢字かな変換設定メニューが、画数が多いとき漢字かな変換をするかしないか設定する設定メニュー、読みにくいとして予め定めて登録してある漢字を漢字かな変換をするかしないか設定する設定メニュー、漢字かな変換を行わない範囲を指定する設定メニューの少なくとも１つを表示することを特徴とする。
また、本発明の表示装置は、画数が多いとき漢字かな変換をするかしないか設定する前記設定メニューに、漢字の画数を指定する欄が表示されることを特徴とする。
また、本発明の表示装置は、読みにくいとして予め定めて登録してある漢字を漢字かな変換をするかしないか設定する前記設定メニューが、読みにくいとして予め定めて設定する漢字を、特定の分類を指定して設定するように構成されたことを特徴とする。
また、本発明の表示装置は、少なくとも文字を表示することのできる表示装置において、表示する文字データを記憶する文字データ記憶手段と、特定の漢字に対応付けて変換する仮名候補を記憶した漢字かな変換テーブルと、設定された漢字かな変換の条件を記憶する漢字かな変換設定情報手段と、前記文字データ記憶手段に記憶された文字データと、前記漢字かな変換テーブルに記憶された前記仮名候補と、前記漢字かな変換設定情報手段に記憶された前記漢字かな変換の条件に基づいて漢字かな変換処理を実行する漢字かな変換手段と、前記漢字かな変換手段で変換処理された文字を画面に表示する表示手段と、を備えたことを特徴とする。
また、本発明の表示装置は、前記文字データ記憶手段が、電子番組表に表示される番組情報が記憶される番組情報データベースであり、前記漢字かな変換手段が、電子番組表に表示される前記番組情報データベースに記憶された漢字を、前記漢字かな変換テーブルに記憶された前記仮名候補と、前記漢字かな変換設定情報手段に記憶された前記漢字かな変換の条件に基づいて仮名に変換することを特徴とする。
また、本発明の表示装置は、前記番組情報データベースに記憶された番組情報が放送局から送信される番組情報を記憶したものであることを特徴とする。
また、本発明の表示装置は、前記番組情報データベースに記憶された番組情報が外部記憶装置から読み込んだ番組情報を記憶したものであることを特徴とする。
また、本発明の表示装置は、デジタル放送を受信し番組の映像と音声を再生する放送受信装置において、上記いずれかの表示装置を備えたことを特徴とする。
また、本発明の表示文字変換方法は、表示装置に表示される文字を漢字から仮名に変換する表示文字変換方法において、表示すべき前記漢字が読みにくい漢字として登録された漢字に一致するかを判断し、読みにくい漢字として登録された漢字に表示すべき漢字が一致すると判断されたとき当該漢字に対応する仮名に変換することを特徴とする。
また、本発明の表示文字変換方法は、前記読みにくい漢字が、画数が所定値以上のものとして登録したものであることを特徴とする。
また、本発明の表示文字変換方法は、前記読みにくい漢字が、読みにくいとして予め定めて登録した漢字であることを特徴とする。
また、本発明の表示文字変換方法は、漢字かな変換を禁止する予め決めた範囲を設定し、読みにくい漢字として登録された漢字に表示すべき漢字が一致したと判断されたき、読みにくい漢字として判断された当該漢字が前記予め決めた範囲に属する漢字のときは漢字かな変換を行わないことを特徴とする。
また、本発明の表示文字変換方法は、漢字かな変換を禁止する予め決めた前記範囲が、番組の特定ジャンル、緊急放送に表示される表示文字の範囲、緊急放送に表示される漢字、人名として表示される漢字、直後に振りがなが付された漢字に属する少なくとも１つの範囲であることを特徴とする。
また、本発明の表示文字変換方法は、漢字を仮名に変換するための情報を設定する漢字かな変換設定メニューを表示することを特徴とする。
また、本発明の表示文字変換方法は、前記漢字かな変換設定メニューが、画数が多いとき漢字かな変換をするかしないか設定する設定メニュー、読みにくいとして予め定めて登録してある漢字を漢字かな変換をするかしないか設定する設定メニュー、漢字かな変換を行わない範囲を指定する設定メニューの少なくとも１つを表示することを特徴とする。
また、本発明の表示文字変換方法は、画数が多いとき漢字かな変換をするかしないか設定する前記設定メニューに、漢字の画数を指定する欄が表示されることを特徴とする。
また、本発明の表示文字変換方法は、読みにくいとして予め定めて登録してある漢字を漢字かな変換をするかしないか設定する前記設定メニューにおいて、読みにくいとして予め定めて設定する漢字を、特定の分類を指定して設定することを特徴とする。
【発明の効果】
【０００８】
本発明によれば、表示装置の画面に文字を表示する際、読みにくい漢字が使用されている場合には、これらの文字を読みやすい文字に変換して表示することができる。
【発明を実施するための最良の形態】
【０００９】
次に、本発明を実施するための最良の形態を具体的に説明する。本実施の形態では、本発明をデジタルテレビ放送受信装置に適用した例について説明するが、本発明はデジタルテレビ放送受信装置に限らず、アナログテレビ放送受信装置にも適用することができる。
【００１０】
（第１の実施の形態）
図１は本実施の形態に係るデジタルテレビ放送受信装置１（以下、単に放送受信装置１ということにする）の概略構成を示すブロック図である。図１を参照して、以下放送受信装置１、及び放送受信装置１に接続される各構成要素について説明する。
【００１１】
本実施の形態に係る放送受信装置１は、図１に示すように、デジタルチューナ・復調部３と、デマルチプレクサ（ＤｅＭＵＸ）４と、ＡＶ（オーディオビジュアル）デコーダ５と、画像重畳部（画像重畳手段）８と、外部インターフェース１４と、ＣＰＵ１６と、メモリ１０と、リモコン受光部１２と、本体キー（表示形態情報選択手段、表示形態情報設定手段）１３と、グラフィックス生成部（番組情報表示欄作成手段）７とを備えた構成となっている。
【００１２】
また、放送受信装置１に接続される各構成要素について説明すると、デジタルチューナ・復調部３の入力部にアンテナ２が接続され、ＡＶデコーダ５の出力部に音声出力部（スピーカ、ヘッドフォンなど）６が接続され、画像重畳部（画像重畳手段）８の出力部に映像出力部（映像モニター：液晶表示装置、プラズマ表示装置、有機ＥＬ表示装置、ＣＲＴ表示装置など）９が接続され、外部インターフェース１４の外部入出力部に外部記憶部１５が電話回線あるいはネットワークなどにより接続され、リモートコントローラ（リモコン装置）１１がリモコン受光部１２を介して赤外線などの通信手段により接続されている。なお、音声出力部６、映像出力部９は放送受信装置１と一体に構成することもできる。
【００１３】
上記デジタル放送受信装置１の各要素、及び放送受信装置１に接続される各要素は、下記のような機能を有している。
【００１４】
アンテナ２は、放送電波から、番組の映像信号や音声信号の他に番組配列情報（ＳＩ:Service Information）を含むデジタル放送に係る信号を受信して、デジタルチューナ・復調部３に供給する。
【００１５】
デジタルチューナ・復調部３は、アンテナ２を通じてデジタル放送の信号が供給されると、選局指示に従って受信信号（物理チャンネル）の選局を行った後、その信号形態に従った復調を行い、ＴＳ（Transport Stream）データを形成し、このＴＳデータをデマルチプレクサ４に出力する。
【００１６】
デマルチプレクサ４は、デジタルチューナ・復調部３より出力されたＴＳデータから、選局された所望の番組（編成チャンネル）の映像データや音声データのパケットデータ、及び番組配列情報（ＳＩ）などのセクション形式のデータを分離抽出し、抽出された映像データと音声データに関するパケットデータをＡＶデコーダ５に、また、抽出されたセクション形式のデータをＣＰＵ１０にそれぞれ出力する。
【００１７】
上記ＡＶデコーダ５は、デマルチプレクサ４からのパケットデータをデコードして所望の番組の音声信号および映像信号を生成し、音声信号であれば音声出力部６へ、映像信号であれば画像重畳部８へ、それぞれ出力する。
【００１８】
音声出力部６は例えばスピーカやヘッドフォンなどであり、ＡＶデコーダ５からの音声信号を入力して、音声として再生し出力する。
【００１９】
グラフィックス生成部７は、画像重畳部８へ出力するためのＯＳＤ（On Screen Display）情報を形成する。このＯＳＤ情報は、メモリ１０に記憶された各種情報から作成された電子番組表（ＥＰＧ）や、視聴者が放送受信装置１を操作するためのメニュー画面（ＧＵＩ）などである。
【００２０】
グラフィックス生成部８は、メモリ１０の番組情報データベース１８に記憶された番組情報、漢字かな変換テーブル１９、漢字かな変換設定情報保持部２０に記憶された漢字かな変換に関する情報に基づいて、映像出力部９に表示される電子番組表（ＥＰＧ）や各種操作用のメニュー画面（ＧＵＩ）を生成するようになっている。なお、グラフィックス生成部７は、番組情報表示欄（例えば、電子番組表）を生成する際に、番組情報データベース１８に保存された情報ではなく、外部インターフェース１４を介して、取得した番組情報を直接用いることもできる。
【００２１】
画像重畳部８は、ＣＰＵ１６によって制御され、上述の、ＡＶデコーダ５にてデコードされた映像信号と、上記電子番組表や、メニュー画面などのＯＳＤ情報からなる信号とを重ね合わせて、映像出力部９に出力する。
【００２２】
映像出力部９は、ＬＣＤ（液晶ディスプレイ）、ＰＤＰ（プラズマディスプレイパネル）、有機ＥＬディスプレイ、あるいはＣＲＴ（Cathode-Ray Tube）ディスプレイなどで構成され、画像重畳部８からの映像信号を入力し、映像として再生し表示する。
【００２３】
メモリ１０は、ＣＰＵ１６が実行するアプリケーションプログラムや演算結果を一時的に保存する記憶領域を有する他に、番組情報データベース１８、漢字かな変換テーブル１９、漢字かな変換設定情報保持部２０などの記憶領域を有している。
【００２４】
番組情報データベース１８には電子番組表生成のための番組情報データが記憶される。
【００２５】
漢字かな変換テーブル１９には、電子番組表に表示する文字に関して、文字の画数が多かったり、常用漢字で使用されていないような難しい漢字を仮名に変換するための「漢字かな変換テーブル」が記憶されている。この変換テーブルは予め、文字の画数が多かったり、常用漢字で使用されていないような難しい漢字を選択して、その漢字の文字コードと、変換すべき仮名の文字コードを対応させて登録しておくものである。
【００２６】
漢字かな変換設定情報保持部２０には、電子番組表に表示すべき文字に、文字の画数が多かったり、常用漢字で使用されていないような難しい漢字が出現した場合、その漢字を仮名に変換すべきか否かなどの視聴者が選択設定した情報が記憶されている。
【００２７】
リモコン装置１１は、少なくともカーソルを動かすための十字キー、指示を確定させるための決定キー、電子番組表をワンプッシュで表示させるための番組表示キー、漢字かな変換設定メニューを表示させるためのメニュー表示指示キーを有している。視聴者が放送受信装置１のリモコン受光部１２に向けてリモコン装置１１のキーを操作すると、リモコン装置１１は、押下したキーに対応する信号をホトダイオードなどで赤外線信号に変換して送信し、この赤外線信号がリモコン装置１１のホトトランジスタなどから構成されるリモコン受光部１２で受信されるようになっている。
【００２８】
リモコン受光部１２は、リモコン装置１１からの赤外線信号を受信して電気信号に変換し、ＣＰＵ１０に出力する。
【００２９】
ＣＰＵ１６は、マイクロコンピュータを含み、放送受信装置１を統括制御するものである。また、ＣＰＵ１６は、デマルチプレクサ４から受け取った番組配列情報（ＳＩ）などのセクション形式のデータをメモリ１０の番組情報データベース１８に保存する。更に、番組情報データベース１８に記憶された番組配列情報（ＳＩ）などの番組情報、漢字かな変換テーブル１９、漢字かな変換設定情報保持部２０に記憶された漢字かな変換に関する情報を基に後述の漢字かな変換処理を施した電子番組表を作成し、映像出力部９にＯＳＤ表示するように指令する。
【００３０】
また、上記ＣＰＵ１６は、その他、操作部（リモコン装置１１、本体キー１３）からの信号を処理し、その動作を各部へ指示をするようになっている。この操作部は、放送受信装置１を操作するための信号を入力する入力手段であり、放送受信装置１自体に設けられた本体キー１３と、放送受信装置１の外部でリモート操作するためのリモートコントローラ（リモコン装置）１１等で構成されている。なお、操作部としては、上述のリモコン装置の他に、他の有線の入力機器（キーボードやマウスなど）を使用することもできる。
【００３１】
さらに、ＣＰＵ１６は、外部インターフェース１４を介して、電話回線やネットワークで外部に接続された外部記憶装置１５との通信を行うことができる。例えば、番組情報データベース１８に保存される番組関連情報は、電話回線やインターネットなどを通じて外部記憶装置１５から取得することも可能である。
【００３２】
ＣＰＵ１６は、リモコン装置１１から電子番組表の表示に関する信号を受信すると、ＣＰＵ１６の番組情報表示制御部１７は番組情報データベース１８、漢字かな変換テーブル１９、漢字かな変換設定情報保持部２０などのデータを使用して、電子番組表を作成して表示する処理を実行する。漢字かな変換テーブル１９には、電子番組表に表示すべき文字に画数の多い文字や常用漢字でないような難しい漢字が登録され、漢字かな変換設定情報保持部２０には漢字かな変換の要否などの視聴者設定情報が登録されているので、これらの情報を基に見やすい電子番組表が作成される。番組情報表示制御部１７は、電子番組表の表示が指示されたとき、表示すべき文字の画数が多かったり、常用漢字で使用されていないような難しい漢字であった場合は、その漢字をどのような仮名に変換すべきかを判断し、後述の動作フローに従って、漢字かな変換処理を実行する。
【００３３】
なお、本発明は放送受信装置に表示される文字に読みにくい漢字が含まれている場合に、読みやすい文字に変換して表示するものであり、電子番組表に表示される文字の変換も発明の対象ではあるが、電子番組表の作成に関しては、既に従来技術として多くの例が存在するので、電子番組表の作成に関する詳細説明は省略する。本実施の形態では、読みにくい文字を読みやすい文字に変換してから、一般に行われている電子番組表の作成手順を実行することにより実施することができる。
【００３４】
次に、放送受信装置１の動作に付いて説明する。
【００３５】
アンテナ２で受信された放送電波が、デジタルチューナ・復調部３に入力されているとする。視聴者が所望の視聴チャンネルをリモコン装置１１を操作して放送受信装置１に選局指令を与えると、リモコン装置１１からの信号はリモコン受光部１２を介してＣＰＵ１６へ入力される。ＣＰＵ１６は、リモコン装置１１からの選局指令を受け取ると、デジタルチューナ・復調部３に選局指令を伝えて所望の視聴チャンネルの選局動作が行われる。デジタルチューナ・復調部３では、所望の視聴チャンネル（編成チャンネル）が含まれる物理チャンネルを選局して、ＴＳデータを復調して生成する。この場合誤り訂正処理なども行われる。
【００３６】
デジタルチューナ・復調部３から出力されるＴＳデータには他の編成チャンネルも多重化されている。また、このＴＳデータには映像データ、音声データのパケットデータと、番組配列情報（ＳＩ）などのセクション形式のデータが含まれており、次のデマルチプレクサ４において、所望の番組のチャンネル（編成チャンネル）に関係した映像データ、音声データのパケットデータ、及び番組配列情報（ＳＩ）などのセクション形式のデータが抽出される。
【００３７】
デマルチプレクサ４で抽出された所望の番組の映像データ、音声データのパケットデータ、番組配列情報（ＳＩ）などのセクション形式のデータのうち、映像データと音声データのパケットデータはＡＶデコーダ５に出力される。デマルチプレクサ４からＡＶデコーダ５に出力された音声データはデコードされてスピーカやヘッドフォンなどの音声出力部６から音声として出力され、この音声を視聴者は聞くことができる。デマルチプレクサ４からＡＶデコーダ５に出力された映像データはデコードされて画像重畳部８に出力される。
【００３８】
ＡＶデコーダ５から画像重畳部８に出力された映像データは、必要に応じて、グラフィックス生成部７からのＯＳＤデータ（電子番組表やメニュー表示などのデータ）と重ね合わされて、映像出力部９へ出力される。
【００３９】
一方、デマルチプレクサ４で抽出された所望の番組の映像データ、音声データのパケットデータ、番組配列情報（ＳＩ）などのセクション形式のデータのうち、番組配列情報（ＳＩ）などのセクション形式のデータはＣＰＵ１６に出力される。番組配列情報（ＳＩ）は電子番組表を生成するための基になるデータであり、ＣＰＵ１６は番組配列情報（ＳＩ）のデータをメモリ１０の番組情報データベース１８に記憶する。番組配列情報（ＳＩ）は、ＥＩＴ（Enent Information Table）、ＳＤＴ（Service Description Table）、ＴＤＴ（Time and Data Table）など、番組やサービスの情報を記述したセクションデータで構成されている。これらの情報を基に電子番組表が生成されるが、電子番組表で表示される文字に関するデータは、８単位系（８ビット符号）などで送られてくるので、これらの文字データが番組情報データベース１８に記憶されることになる。
【００４０】
メモリ１０の番組情報データベース１８に記憶される電子番組表生成のための番組情報データは、外部記憶部１５から入力することもできる。視聴者がリモコン装置１１を操作して外部記憶部１５から番組情報データ取り込み指示を行うと、ＣＰＵ１６は外部インターフェース１４を介して外部記憶部１５に記憶された番組情報データを読み込み、番組情報データベース１８に記憶する。なお、放送局から電波を通して送られてくる番組配列情報（ＳＩ）などの番組情報は、放送受信装置１により番組視聴中に定期的に送られてくるものを受信し記憶することができるが、放送受信装置１が電源オフのスタンバイモードのときに受信し記憶するようにもできる。
【００４１】
視聴者がリモコン装置１１のキーを操作して電子番組表を表示するように放送受信装置１に指示すると、ＣＰＵ１６はリモコン受光部１２を介してこの操作信号を入力し、電子番組表の作成と表示の処理を実行する。
【００４２】
即ち、ＣＰＵ１６は、番組情報表示制御部１７において、メモリ１０の番組情報データベース１８に記憶された番組情報データ、漢字かな変換テーブル１９、漢字かな変換設定情報保持部２０に記憶された漢字かな変換に関する情報を基に電子番組表の作成処理を実行し、作成した電子番組表のデータをグラフィックス生成部７に送る。
【００４３】
グラフィックス生成部７はＣＰＵ１６から送られてきた電子番組表のデータを基に、映像データと重畳すべきＯＳＤデータを作成する。
【００４４】
画像重畳部８はＣＰＵ１６からの指令により、ＡＶデコーダ５からの映像データとグラフィックス生成部７からのＯＳＤデータを重畳する処理を実行し、ＯＳＤデータが重畳された映像信号を映像出力部９に出力する。
【００４５】
映像出力部９は、画像重畳部８からの映像信号を入力し、映像として再生し出力する。これにより視聴者は、映像と電子番組表が重畳された電子番組表を見ることができるようになる。
【００４６】
次に、漢字かな変換動作を説明する。
【００４７】
電子番組表に表示される文字は、放送局から番組配列情報（ＳＩ）などの番組情報として送られてくる。表示される文字は、文字コードデータとして送られてくるが、日本語の文字コード体系として、ＪＩＳコード、シフトＪＩＳコード、日本語ＥＵＣコードなどのコード体系が一般的に知られている。また、数字やアルファベットなどの文字はＡＳＣＩＩコードが使用されている。これら文字情報は種々のコード体系があるが、一般には、電子番組表に表示される文字情報として８単位系（８ビット符号）で送られてくる。受信された８単位系文字情報は一旦番組情報データベース１８に格納される。なお、文字情報はＪＩＳコードや日本語ＥＵＣコードなどで直接送ることも考えられるが、通常は８単位系（８ビット符号）で送るほうがメモリ容量節約の点で有利である。
【００４８】
漢字かな変換処理を実行するときは、上記８単位系文字情報を番組情報表示制御部１７で文字コード比較処理時にアプリケーションプラグラムが扱う共通の文字コードに変換され、漢字かな変換テーブルに記憶された文字コードと比較され、予め登録されている読みにくい文字と一致するかが判断される。
【００４９】
登録されている読みにくい文字と一致すると判断された場合には、その文字の前後の文字も参照して、どのように変換するかが決定される。下記に読みにくい文字の例をとって具体的に説明する。下の例では、漢字かな変換処理のときの文字コードをＪＩＳコードとして説明するが、シフトＪＩＳや日本語ＥＵＣなどの文字コードを使用しても同様に実施できる。
【００５０】
画数の多い文字として「鬱」の変換例を挙げる。
【００５１】
番組情報データに0x5d 0x35（0xは１６進数を表す）の文字列を検出したとする。0x5d 0x35の文字列はＪＩＳコードのとき「鬱」の文字を示している。
【００５２】
次に、「鬱」をどのような仮名に変換するかを直後に続くコードにより判断する。直後に続くコードより下記（パターン１）〜（パターン４）のように変換する。この場合４つのパターンに分かれる。
【００５３】
（パターン１）
文字コード0x36 0x62が直後に続くとき；0x36 0x62は「金」の文字コードであり、0x5d 0x35 0x36 0x62の一連の文字列は「鬱金」（読み；うこん）であると判断されるので「鬱」は仮名「う」の文字コード0x24 0x26に変換される。
【００５４】
（パターン２）
文字コード0x24 0x2Eが直後に続くとき；0x24 0x2Eは「ぎ」の文字コードであり、0x5d 0x35 0x24 0x2Eの一連の文字列は「鬱ぎ」（読み；ふさぎ）であると判断されるので「鬱」は仮名「ふさ」の文字コード0x24 0x55 0x24 0x35に変換される。
0x24 0x30（ぐ）が続く場合も、「鬱ぐ」（読み；ふさぐ）であると判断されるので「鬱」は仮名「ふさ」の文字コード0x24 0x55 0x24 0x35に変換される。
【００５５】
（パターン３）
文字コード0x46 0x2bが直後に続くとき；0x24 0x2Eは「陶」の文字コードであり、0x5d 0x35 0x46 0x2bの一連の文字列は「鬱陶」（読み；うっとう）であると判断されるので「鬱」は仮名「うっ」の文字コード0x24 0x26 0x24 0x43に変換される。
0x36 0x7E（屈）、0x37 0x6C（血）、0x4A 0x30（憤）などが続く場合も、それぞれ「鬱屈」（読み；うっくつ）、「鬱血」（読み；うっけつ）、「鬱憤」（読み；うっぷん）であると判断されるので「鬱」は仮名「うっ」の文字コード0x24 0x26 0x24 0x43に変換される。
【００５６】
（パターン４）
その他の文字コードが直後に続くとき；仮名「うつ」の文字コード0x24 0x26 0x24 0x44に変換される。
【００５７】
読みにくい漢字の変換例として「雹」、「霞」、「海豹」の例を挙げる（下記→は、漢字から仮名への変換を表す）。
（例１）：「雹」（文字コード0x70 0x3b）→「ひょう」（文字コード0x24 0x52 0x24 0x67 0x24 0x26）
（例２）：「霞」（文字コード0x32 0x62）→「かすみ」（文字コード0x24 0x2b 0x24 0x39 0x24 0x5f）
（例３）：「海豹」（文字コード0x33 0x24 0x49 0x3f）→「あざらし」（文字コード0x24 0x22 0x24 0x36 0x24 0x69 0x24 0x37）
【００５８】
上に挙げたような画数の多い文字で読みにくい漢字、常用漢字で使用されていないような難しい漢字などは、変換すべき仮名の文字コードが対応付けられて、予め漢字かな変換テーブル１９に登録される。
【００５９】
図２、図３は番組案内のＯＳＤ表示の例を示したもので、図２は漢字かな変換無しの場合の表示例、図３は漢字かな変換有りの場合の表示例を示している。図２と図３を対比してみると、漢字「鬱」が仮名「うつ」に変換され、漢字「海豹雹」が仮名「あざらしひょう」に変換されている。漢字「海馬」は読みにくい漢字ではあるが直後に（とど）が続いて振り仮名が付いていると判断されるので、漢字かな変換は行わない。このように、図３の番組案内のＯＳＤ表示は読みやすくなっていることがわかる。
【００６０】
なお、図２、図３は１つの番組についての案内表示であるが、電子番組表はチャンネルと時間を縦軸、横軸に取って、例えば特許文献１の図４のように表示される。本実施の形態はこのような電子番組表に表示される文字を見やすい文字に変換するものである。
【００６１】
次に、本実施の形態による漢字かな変換についての各種設定について説明する。
漢字かな変換についての各種設定は、リモコン装置１１の漢字かな変換設定メニューを表示させるためのメニュー表示指示キーを操作し画面に設定メニューを表示させて設定を行う。図４、図５は、漢字かな変換設定メニューの一例を示すものである。図４、図５において、符号３０は映像出力部９の画面であり、漢字かな変換設定メニューが表示された状態を示している。また、図４の符号４０はメニューの下側の左欄を示し、「漢字かな変換設定」が選択された状態を表示したものである。また、図５の符号４２は同様にメニューの下側の左欄を示し、「読みにくい漢字」が選択された状態を表示したものである。また、図４の符号４１はメニューの下側の右欄を示し、左欄４０で「漢字かな変換設定」が選択されたときの表示を示している。また、図５の符号４３は同様にメニューの下側の右欄を示し、左欄４２で「読みにくい漢字」が選択されたときの表示を示している。
【００６２】
図４を参照すると、漢字かな変換設定メニュー画面は、上部に「■漢字かな変換設定メニュー」と表示され、その下側の左欄４０には「漢字かな変換設定」と「読みにくい漢字」の項目が表示されている。また、右欄４１には、「漢字かな変換設定」が選択されたときに表示される内容が、上部に「する」、「しない」、下部に「□□画以上」が表示された様子を示している。
【００６３】
即ち、図４に示した漢字かな変換設定メニューはその下側の左欄４０において「漢字かな変換設定」か「読みにくい漢字」かのいずれかの項目を選択するようになっており、リモコン装置１１の十字キーを使ってカーソル移動し「漢字かな変換設定」を選択すると図４の表示となり、同様にリモコン装置１１の十字キーを使ってカーソル移動し「読みにくい漢字」を選択すると図５の表示となる。
【００６４】
「漢字かな変換設定」を選択し図４のように表示されたときの設定について説明すると、「漢字かな変換設定」についての処理を実行するかしないかを右欄４１の「する」、「しない」のいずれかをリモコン装置１１の十字キーを使って選択し、リモコン装置１１の指示を確定させるための決定キーを押下して決定する。「する」を選択した場合には下部に表示された「□□画以上」の「□□」に画数を入力する。図４ではリモコン装置１１の数字キーを使って２５を入力し、リモコン装置１１の決定キーを押下して、２５画以上を漢字かな変換するように設定する例を示している。
【００６５】
左欄４２に表示された「読みにくい漢字」を選択し図５のように表示されたときの設定について説明すると、「読みにくい漢字」についての処理を実行するかしないかを右欄４３の「する」、「しない」のいずれかをリモコン装置１１の十字キーを使って選択し、リモコン装置１１の指示を確定させるための決定キーを押下して決定する。「する」を選択した場合には下部に表示された分野（植物、動物、魚類、自然、鳥類）のいずれを対象とするかを選択する。図５ではリモコン装置１１の十字キーを使ってカーソル移動しリモコン装置１１の決定キーを押下して該当する分類を決定する。選択された分野の漢字は、画数が少なくても読みにくい漢字が仮名に変換される。２つ以上選択することが可能である。また、これら分類以外のその他の読みにくい字を含む全ての読みにくい字対象とする場合には「全部」を選択する。
【００６６】
これら図４、図５に示した漢字かな変換設定メニューから設定された情報は、漢字かな変換設定情報保持部２０に記憶される。
【００６７】
次に、図６の動作フローチャートを参照して、電子番組表に表示する文字の漢字かな変換の処理を詳細に説明する。
【００６８】
まず、図６のフローチャートに示した番組情報表示の処理動作が開始される前に、番組配列情報（ＳＩ）などの番組情報はアンテナ２から受信してメモリ１０の番組情報データベース１８に予め格納されているものとする。あるいは上に述べたように番組情報は外部記憶部１５から読み込んで番組情報データベース１８に記憶しておく。また、図４に示した漢字かな変換設定メニューから「漢字かな変換設定」により所定の画数以上の漢字を仮名に変換するよう設定済みとする。更に図５に示した漢字かな変換設定メニューから「読みにくい漢字」を仮名に変換するよう設定し対象の分類も設定済みとする。そして、これら設定された情報は漢字かな変換設定情報保持部２０に記憶されているものとする。
【００６９】
（ステップＳ１）
視聴者が放送受信装置１のリモコン受光部１２に向けてリモコン装置１１の「番組表示キー」を操作すると、ＣＰＵ１６はリモコン装置１１からの指示信号に従い電子番組表を表示する処理を開始する。ＣＰＵ１６は漢字かな変換設定情報保持部２０に記憶された漢字かな変換設定情報を基に番組情報データベース１８に記憶された電子番組表に表示すべき文字に読みにくい字（図４に示した漢字かな変換設定メニューから設定した文字の画数が多い漢字、図５に示した漢字かな変換設定メニューから設定した常用漢字で使用されていないような難しい漢字）があるかどうかをチェックする。このチェックは、読みにくい字として漢字かな変換テーブル１９に登録された文字コードと番組情報データベース１８から読み出された電子番組表に表示すべき文字の文字コードが一致するかどうかで行われる。
【００７０】
先に述べたように文字コードにはＪＩＳコード、シフトＪＩＳコード、日本語ＥＵＣコードなど複数の文字コード体系があり、それらの文字コードは一致していない部分が多いことから、文字コードの比較には、共通の文字コードに変換して比較を行う。先にＪＩＳコードで比較した例を挙げた。これに代わり日本語ＥＵＣコードなどで比較することもできる。また、番組情報データベース１８に記憶された文字情報はメモリ容量節約のため８単位系の文字として記憶されている場合には、この８単位系の文字コードをＪＩＳコードや日本語ＥＵＣコードなど、比較処理時の共通文字コードに変換して比較処理を行う。
【００７１】
ステップＳ１で表示文字が読みにくい字に一致すると判断された場合（Ｙｅｓ）にはステップＳ２に進む。また、ステップＳ１で表示文字が読みにくい字に一致しないと判断された場合（Ｎｏ）にはステップＳ６に進む。
【００７２】
（ステップＳ２）
ステップＳ２では、振り仮名に該当する文字コードが直後に続いているかをチェックする。振り仮名に該当する文字コードが直後に続いている場合（Ｙｅｓ）には漢字かな変換を行わない文字であると判断してステップＳ６に進む。振り仮名に該当する文字コードが直後に続いていないと判断された場合（Ｎｏ）にはステップＳ３に進む。この例として先に図３に「海馬」（とど）の例を挙げた。振り仮名の付け方としては仮名を（）で括る以外にも考えられるので、振り仮名の付け方として考えられる複数のパターンを登録しておくと良い。
【００７３】
（ステップＳ３）
ステップＳ３では、仮名に変換するパターンが複数あるかどうかをチェックする。パターンが複数あるかどうかの情報は当該文字に対応する付加データとして漢字かな変換テーブル１９に記憶されている。
【００７４】
ステップＳ３で仮名に変換するパターンが複数あると判断された場合（Ｙｅｓ）には、ステップＳ４に進む。また、ステップＳ３で仮名に変換するパターンは一通りであると判断された場合（Ｎｏ）にはステップＳ５に進む。
【００７５】
（ステップＳ４）
ステップＳ３で仮名に変換するパターンが複数あると判断された場合は、仮名に変換する複数のパターンについて該当パターンを選択する。このパターンの選択については先に「鬱」の例を挙げて説明した。即ち「鬱」の場合には直後に続く文字コードにより、
（１）文字コード0x36 0x62が直後に続くとき文字コード0x24 0x26に変換する、
（２）文字コード0x24 0x2Eまたは0x24 0x30が直後に続くとき文字コード0x24 0x55 0x24 0x35に変換する、
（３）文字コード0x46 0x2b、0x36 0x7E、0x37 0x6C、0x4A 0x30が直後に続くとき文字コード0x24 0x26 0x24 0x43に変換する、
（４）その他の文字コードが直後に続くとき文字コード0x24 0x26 0x24 0x44に変換する、
の４通りのパターンがある。これらのパターンのいずれに相当するかが直後に続く文字コードで判断されることになる。
【００７６】
漢字により変換パターンも変わるので、当該漢字の前後をチェックしてパターを決定するような場合も有り得る。どのようなパターンがあるかの情報は当該文字に対応する付加データとして漢字かな変換テーブル１９に記憶されている。
【００７７】
（ステップＳ５）
ステップＳ３で仮名に変換するパターンは一通りであると判断された場合、あるいはステップＳ４で表示する漢字の仮名に変換するパターンが決定された場合、次に、ステップＳ５において、漢字かな変換が行われる。仮名に変換するパターンが一通りである場合にはその一通りの文字コードに変換し、また、仮名に変換するパターンが複数ある場合にはステップＳ４で決定したパターンに従って文字コード変換を行い、次にステップＳ６に進む。ステップＳ５で変換された文字列は番組情報データベース１８に上書き記憶してもよいが、原文をそのままの残すために、変換箇所を対応付けして、番組情報データベース１８とは別のメモリ１０の領域に記憶するようにしてもよい。電子番組表を表示するときは、この変換済みの文字列を使用して表示する。
【００７８】
（ステップＳ６）
ステップＳ６では、次に表示すべき文字列があるかどうかをチェックする。次に表示すべき文字列がある（文字列終了していない）と判断された場合（Ｎｏ）にはステップＳ７に進む。次に表示すべき文字列がない（文字列終了した）場合（Ｙｅｓ）には本処理を終了する。
【００７９】
（ステップＳ７）
ステップＳ６で次に表示すべき文字列があると判断された場合にはステップＳ７において次の文字列の文字コードを検出し、ステップＳ１に進む。以降、ステップＳ１以下の処理を引き続いて実行する。
【００８０】
なお、ステップＳ６で表示文字列が終了したと判断されたきは漢字かな変換の本処理を終了するが、ＣＰＵ１６は引き続き電子番組表の作成処理を実行する。しかし、これについては、従来技術を使用して処理できるので説明を省略する。
【００８１】
第１の実施の形態で説明した上記漢字かな変換処理は、電子番組表（ＥＰＧ）の表示に限らず、各種メニューのＯＳＤ表示や、映画の字幕、番組中に表示されるテロップなどに対しても適用できる。また、文字が映像に埋め込まれて映像データとして送られて来る場合には、ＯＣＲ技術などを使って文字検出し同様に実施することができる。
【００８２】
以上の実施の形態によれば、放送受信装置の表示装置に表示される電子番組表（ＥＰＧ）の文字、その他放送局から送られてくる文字データを基に画面に文字を表示する際、文字の画数が多かったり、常用漢字で使用されていないような難しい漢字が使用されている場合には、これらの文字を表示する際、読みやすく変換して表示することができる。
【００８３】
（第２の実施の形態）
次に、本発明の第２の実施の形態について説明する。上記第１の実施の形態では、読みにくい漢字が検出されたとき、この文字が読みにくい文字として番組情報データベース１８に登録されていると、読みやすい文字に変換するようにしているが、場合によっては変換すると支障をきたす場合がある。例えばニュースや報道番組で文字が変換されると誤った情報として視聴者に伝えられてしまうといった場合である。
【００８４】
そこで、本実施の形態では、漢字かな変換を禁止する番組を、番組のジャンルで区別して、漢字かな変換禁止番組のときには漢字かな変換を行わないようにしている。番組のジャンルは放送局から番組配列情報（ＳＩ）などの番組情報を調べることによって知ることができる。
【００８５】
図７は、漢字かな変換設定メニューの表示状態を示したもので、本実施の形態では、第１の実施の形態の漢字かな変換設定メニューの表示に対し「漢字かな変換禁止ジャンル設定」の項目が追加されている。
【００８６】
漢字かな変換設定メニューの左欄４４に表示された「漢字かな変換禁止ジャンル設定」を選択し図７のように表示されたときの設定について説明すると、番組が特定のジャンルであるとき漢字かな変換を禁止するかしないかを右欄４５の「する」、「しない」のいずれかをリモコン装置１１の十字キーを使って選択し、リモコン装置１１の指示を確定させるための決定キーを押下して決定する。「する」を選択した場合には下部に表示された番組のジャンル（ニュース、報道番組、教育・・・など）のいずれのジャンルを変換禁止の対象とするかを選択する。図７ではリモコン装置１１の十字キーを使ってカーソル移動しリモコン装置１１の決定キーを押下して該当するジャンルを決定する。２つ以上選択することが可能である。また、これらジャンル以外のその他のジャンルを対象とする場合には「全部」を選択する。
【００８７】
これら図７に示した漢字かな変換設定メニューから設定された情報は、漢字かな変換設定情報保持部２０に記憶される。
【００８８】
本実施の形態は、第１の実施の形態の説明で図１に示した放送受信装置１の構成と同じもので実施することができる。また、本実施の形態の動作は、第１の実施の形態の説明で図６に示した動作フローチャートに、ジャンルを判別するステップを追加することにより実施することができる。
【００８９】
図８は本実施の形態の動作を説明する動作フローチャートである。図８において点線のＡで示した部分は、第１の実施の形態の図６に示したフローと同じである。以下、図８を参照して本実施の形態における、電子番組表に表示する文字の漢字かな変換の処理を説明する。
【００９０】
まず、第１の実施の形態と同様に、図８のフローチャートに示した番組情報表示の処理動作が開始される前に、番組配列情報（ＳＩ）などの番組情報はアンテナ２から受信してメモリ１０の番組情報データベース１８に予め格納されているものとする。あるいは上に述べたように番組情報は外部記憶部１５から読み込んで番組情報データベース１８に記憶しておく。また、図７に示した漢字かな変換設定メニューから第１の実施の形態で説明したと同様にして「漢字かな変換設定」により所定の画数以上の漢字を仮名に変換するよう設定済みとする（第１の実施の形態で説明したと同様にして設定）。また、図７に示した漢字かな変換設定メニューから「読みにくい漢字」を仮名に変換するよう設定し対象の分類も設定済みとする（第１の実施の形態で説明したと同様にして設定）。更に、図７に示した漢字かな変換設定メニューから「漢字かな変換禁止ジャンル設定」を選択し、変換禁止の対象となるジャンルも設定済みとする。そして、これら設定された情報は漢字かな変換設定情報保持部２０に記憶されているものとする。
【００９１】
（ステップＳ８）
視聴者が放送受信装置１のリモコン受光部１２に向けてリモコン装置１１の「番組表示キー」を操作すると、ＣＰＵ１６はリモコン装置１１からの指示信号に従い電子番組表を表示する処理を開始する。ＣＰＵ１６は、まず、表示文字を表示する番組を検索し、その番組が漢字かな変換設定情報保持部２０に記憶された漢字かな変換禁止ジャンルに該当するかどうかをチェックする。
【００９２】
ステップＳ８において、漢字かな変換禁止ジャンルに該当する（Ｙｅｓ）と判断された場合、ステップＳ９に進む。漢字かな変換禁止ジャンルに該当しない（Ｎｏ）と判断された場合、ステップＳ１に進む。
【００９３】
（ステップＳ９）
ステップＳ８において、漢字かな変換禁止ジャンルに該当する（Ｙｅｓ）と判断された場合は、ステップＳ９において、電子番組表に表示すべき他の番組があるかどうかをチェックする。
電子番組表に表示すべき他の番組がある（Ｙｅｓ）と判断された場合にはステップＳ８に進み、ステップＳ８以降の処理を継続して実行する。電子番組表に表示すべき他の番組がない（Ｎｏ）と判断された場合には本処理を終了する。
【００９４】
（ステップＳ１〜ステップＳ７）
ステップＳ８において、漢字かな変換禁止ジャンルに該当しない（Ｎｏ）と判断された場合ステップＳ１に進むが、ステップＳ１〜ステップＳ７の点線Ａで囲んだ部分の処理は第１の実施の形態の図６に示した処理と同じなので説明は省略する。
【００９５】
なお、第１の実施の形態と同様に、ステップＳ６で表示文字列が終了したと判断されたきは漢字かな変換の本処理を終了するが、ＣＰＵ１６は引き続き電子番組表の作成処理を実行する。しかし、これについては、従来技術を使用して処理できるので説明を省略する。
【００９６】
以上、本実施の形態によれば、第１の実施の形態による効果の他に、漢字かな変換してはいけないジャンルの場合は、変換処理を行わないようにできる。ニュースや報道番組などで、文字変換すると内容が変質する可能性のあるジャンルは、このジャンルを変換禁止にすることができる。これにより誤った情報を視聴者が受け取ることを防ぐことができる。
【００９７】
なお、第２の実施の形態で説明した漢字かな変換処理は、第１の実施の形態と同様、電子番組表の表示に限らず、各種メニューのＯＳＤ表示や、映画の字幕、番組中に表示されるテロップなどに対しても適用できる。文字が映像に埋め込まれて映像データとして送られて来る場合には、ＯＣＲ技術などを使って文字検出し同様に実施することができる。この場合、緊急放送を伝える文字は変換すると誤った情報になる危険性があるので、漢字かな変換禁止を設定しておくことの効果が大きい。また、人名は変換すると別人になってしまう可能性もあるので漢字かな変換禁止にして変換しないように設定することもできる。緊急放送を伝える文字や人名は視聴者にメニューで設定させるのではなく固定的に漢字かな変換禁止情報を設定しておくこともできる。
【００９８】
（その他の実施の形態）
本発明が対象とする文字は、電子番組表ＥＰＧに表示される文字に限らず、例えばデータ放送の文字やその他の文字情報があり、本発明は文字データが映像データとは別のデータとして送信されてくるものを対象として適用することができる。したがって文字データ放送の文字や、例えば洋画番組の日本語字幕などが映像に埋め込まれたものでなく、文字データとして送られてくるものは対象とすることができる。文字が映像に埋め込まれて映像データとして送られて来る場合であっても、ＯＣＲ技術などを使って文字検出すれば同様に実施することもできる。
【００９９】
また、電子番組表（ＥＰＧ）はアナログ放送でも存在し、本発明はこのアナログ放送で採用されている電子番組表（ＥＰＧ）の文字表示にも適用することができる。この場合には垂直帰線期間に送られてくる信号コードを同様に処理することにより実施することができる。このように本発明はデジタルテレビ放送受信装置に限定されず、アナログテレビ放送受信装置にも適用することができる。また、パーソナルコンピュータでの画面表示、ゲーム機の画面表示など各種表示装置に適用することができる。例えば、インターネットなど外部からダウンロードしたソフトウェアで文字を表示する場合、見易く表示することができる。
【０１００】
また、上記実施の形態では、読みにくい漢字を仮名（平仮名）に変換する例を挙げたが、平仮名でなく、片仮名に変換したり、画数の多い漢字を画数の少ない漢字（略字）に変換するようなこともできる。また、人名は漢字かな変換禁止にして変換しないように設定することもできる。
【０１０１】
なお、漢字かな変換処理が動作中であることを視聴者に知らせるために、画面の一部にこの旨のＯＳＤ表示をしておけば、視聴者はこれを理解した上で表示文字を見ることができる。また、漢字かな変換した文字を特定の色表示にするなどすれば、視聴者は当該仮名が漢字かな変換されていることを理解できる。
【０１０２】
以上の実施の形態で挙げた例は本発明の例示に過ぎないので、本発明はこれら実施の形態には限定されない。
【産業上の利用可能性】
【０１０３】
本発明は、文字を表示する表示装置に広く利用できる。
【図面の簡単な説明】
【０１０４】
【図１】本発明の第１の実施形態、及び第２の実施形態における放送受信装置の構成を示す図である。
【図２】本発明の第１の実施形態における表示装置の、番組案内表示の表示例（漢字かな変換無し）を示す。
【図３】本発明の第１の実施形態における表示装置の、番組案内表示の表示例（漢字かな変換有り）を示す。
【図４】本発明の第１の実施形態における表示装置の、漢字かな変換設定メニューの表示例（画数の多い漢字の漢字かな変換設定の設定）を示す。
【図５】本発明の第１の実施形態における表示装置の、漢字かな変換設定メニューの表示例（読みにくい漢字の漢字かな変換設定の設定）を示す。
【図６】本発明の第１の実施形態における漢字かな変換処理を示すフローチャートである。
【図７】本発明による表示装置の、漢字かな変換設定メニューの表示例（第２の実施形態；漢字かな変換禁止ジャンルの設定）を示す。
【図８】本発明の第２の実施形態における漢字かな変換処理を示すフローチャートである。
【符号の説明】
【０１０５】
１・・・放送受信装置
２・・・アンテナ
３・・・デジタルチューナ・復調部
４・・・デマルチプレクサ（ＤｅＭＵＸ）
５・・・ＡＶ（オーディオビジュアル）デコーダ
６・・・音声出力部（スピーカ、ヘッドフォンなど）
７・・・グラフィックス生成部（番組情報表示欄作成手段）
８・・・画像重畳部（画像重畳手段）
９・・・映像出力部（映像モニター：液晶表示装置、プラズマ表示装置、有機ＥＬ表示装置、ＣＲＴ表示装置など）
１０・・・メモリ
１１・・・リモコン装置（リモートコントローラ）
１２・・・リモコン受光部
１３・・・本体キー（表示形態情報選択手段、表示形態情報設定手段）
１４・・・外部インターフェース
１５・・・外部記憶部
１６・・・ＣＰＵ
１７・・・番組情報表示制御部
１８・・・番組情報データベース
１９・・・漢字かな変換テーブル
２０・・・漢字かな変換設定情報保持部
３０・・・映像出力部９の画面
４０、４２、４４・・・メニューの下側の左欄
４１、４３、４５・・・メニューの右側の左欄
【図１】
2009118125.tif 000003
【図２】
2009118125.tif 000004
【図３】
2009118125.tif 000005
【図４】
2009118125.tif 000006
【図５】
2009118125.tif 000007
【図６】
2009118125.tif 000008
【図７】
2009118125.tif 000009
【図８】
2009118125.tif 000010